(57)【要約】【課題】  ツイストペア線の撚りと曲げとを同時に短時間で取ることができ、作業効率を向上させることが可能な捻り戻し装置を提供する。【解決手段】  一対に撚り合うツイストペア線１ａを複数合わせ持つケーブル１の端部に端子を接続するためツイストペア線１ａを露出させて撚りを戻す撚り戻し装置であって、所定の回転軸Ａを中心として回転する回転基台１２と、この回転基台１２の回転する表面に回転軸Ａから偏心した両側に対に設けられてツイストペア線１ａの撚り合う一対の先端を各々把持するチャック部１４とを備え、このチャック部１４にツイストペア線１ａの一対に撚り合う先端を各々把持させた状態で該ツイストペア線１ａに張力を加えて回転基台１２を回転させるとによって撚りを戻す。【選択図】      図１
2006280176.tif 000002
【特許請求の範囲】
【請求項１】
一対に撚り合うツイストペア線を複数合わせ持つケーブルの端部に、端子を接続するため前記ツイストペア線を露出させて撚りを戻す撚り戻し装置において、
所定の回転軸を中心として回転する回転基台と、
前記回転基台の回転する表面に前記回転軸から偏心した両側に対に設けられ、前記ツイストペア線の撚り合う一対の先端を各々把持するチャック部とを備え、
前記チャック部に前記ツイストペア線の一対に撚り合う先端を各々把持させた状態で、該ツイストペア線に張力を加えて前記回転基台を回転させるとによって、撚りを戻すことを特徴とする撚り戻し装置。
【請求項２】
請求項１に記載の撚り戻し装置において、
前記回転基台は、自動または手動により回転し、前記ツイストペア線が撚り合う方向によって回転方向を正逆反転可能に設けたことを特徴とする撚り戻し装置。
【請求項３】
請求項１または２に記載の撚り戻し装置において、
前記チャック部は、前記回転軸から偏心した両側で各々回転可能に設けられ、前記回転基台が回転して前記ツイストペア線の撚りを戻した後、張力を加えて把持した状態で更に回転して曲げを取ることを特徴とする撚り戻し装置。
【請求項４】
請求項３に記載の撚り戻し装置において、
前記チャック部は、前記ツイストペア線が撚り合う方向によって回転方向を正逆反転可能に設けたことを特徴とする撚り戻し装置。
【請求項５】
請求項１乃至４のいずれかに記載の撚り戻し装置において、
前記回転基台とチャック部とは、作業者が把持可能な携帯型の本体、または据え置き型の本体に収納して設けたことを特徴とする撚り戻し装置。
【請求項６】
請求項１乃至５のいずれかに記載の撚り戻し装置において、
前記チャック部は、前記ツイストペア線の先端を差し込むことで自動的に把持するように設けたことを特徴とする撚り戻し装置。
【発明の詳細な説明】
【技術分野】
【０００１】
本発明は、撚り戻し装置に係り、より詳細には、一対に撚り合うツイストペア線を複数合わせ持つケーブルの端部に、端子接続のためにツイストペア線を露出させて撚りを戻す撚り戻し装置に関する。
【背景技術】
【０００２】
従来、撚り戻し装置は、一対に撚り合うツイストペア線を複数合わせ持つ、例えば、ＵＴＰケーブル（ＬＡＮケーブル）などのケーブルの端部に、端子（コネクタ）等を接続するため、この端部でツイストペア線の被服部を剥して露出させて、ウレタン又はシリコンなどのブロック間に挟んで抜き取ることで撚りを戻す（取る）装置が知られている（例えば、特許文献１参照。）。
【特許文献１】特開平６−２２４２６号公報
【０００３】
前述したブロックを用いて撚りを戻す撚り戻し装置の実施形態を、図８を参照して説明する。図８は、このようなブロックを用いた従来の撚り戻し装置の一実施形態を示す外観図である。図８に示すように、従来の撚り戻し装置の一実施形態は、一対に撚り合うツイストペア線１ａ（以下、ペア線と称す）を複数合わせ持つケーブル１の端部に、端子（コネクタ：図示せず）を接続するため、この端部でペア線１ａの被覆部を剥して露出させて撚りを戻す（取る）装置であって、この露出したペア線１ａを載置する固定ブロック５２と、この固定ブロック５２に載置したペア線１ａを上部から挟み込む押圧ブロック５４とを各々備えている。ここで、固定ブロック５２と押圧ブロック５４とは、お互い同じ硬度９０度近傍のウレタンゴム又は硬度５０度近傍のシリコンゴムからなり、複数のペア線１ａを設置できるように両側の長手方向に延在して断面が角形をなす四角柱状に形成されている。
【０００４】
このような構成からなる従来の撚り戻し装置の一実施形態を用いる場合、図８に示したように、まずケーブル１の端部に複数露出したペア線１ａを固定ブロック５２に載置し、この上部からペア線１ａを挟み込むように押圧ブロック５４を降下させる。この際、押圧ブロック５４は、固定ブロック５２に対して図８に示した所定の角度α（例えば、約１５度）だけ傾けて、お互いの各稜部５２ａ、５４ａによって複数のペア線１ａを挟持する。そして、ペア線１ａを稜部５２ａ、５４ａで挟んだ後、この稜部５２ａ、５４ａに挟持した複数のペア線１ａを抜き取るとともに、再び、押圧ブロック５４ａを昇降させてペア線１ａを挟持して抜き取る動作を数回繰り返し行うことでペア線１ａの撚りと曲げとを完全に取り、このペア線１ａの先端に端子を接続可能な状態にする。
【０００５】
このように従来の撚り戻し装置は、弾性を有した固定ブロック５２と押圧ブロック５４との稜部５２ａ、５４ａに複数のペア線１ａを挟み込んで抜き取ることで、このペア線１ａに損傷を与えることなく、ケーブル１端部に複数露出したペア線１ａの撚り（及び曲げ）を一括して効率的に取ることができ生産性を向上していた。
【発明の開示】
【発明が解決しようとする課題】
【０００６】
しかしながら、従来の撚り戻し装置では、ケーブル１の端部に複数露出させたペア線１ａの撚りが、全て同じ回数または幅に撚られてないため、ツイストペア線１ａの撚りと曲げとを一度に全て戻すことができず、固定ブロック５２と押圧ブロック５４とに挟んで抜き取る動作を複数回繰り返す必要があり、撚り戻し作業に時間がかかるという不具合があった。そこで、この撚り戻し時には、通常、作業者が時間を短縮するために、複数のツイストペア線１ａの間に直接指を挟み込んで引き抜く動作（しごき）により撚りと曲げとを取っていたが、これでは作業者の指が痛くなるという不具合があった。
【０００７】
本発明は上記の点に鑑みなされたもので、その目的は、ツイストペア線の撚りと曲げとを同時に短時間で取ることができ、作業効率を向上させることが可能な撚り戻し装置を提供することにある。
【課題を解決するための手段】
【０００８】
本発明は上述した課題を解決するために、一対に撚り合うツイストペア線を複数合わせ持つケーブルの端部に端子を接続するためツイストペア線を露出させて撚りを戻す撚り戻し装置であって、所定の回転軸を中心として回転する回転基台と、この回転基台の回転する表面に回転軸から偏心した両側に対に設けられてツイストペア線の撚り合う一対の先端を各々把持するチャック部とを備え、このチャック部にツイストペア線の一対に撚り合う先端を各々把持させた状態で該ツイストペア線に張力を加えて回転基台を回転させるとによって撚りを戻す。
【０００９】
ここで、回転基台は、自動または手動により回転し、ツイストペア線が撚り合う方向によって回転方向を正逆反転可能に設けることが好ましい。また、チャック部は、回転軸から偏心した両側で各々回転可能に設けられ、回転基台が回転してツイストペア線の撚りを戻した後、張力を加えて把持した状態で更に回転して曲げを取ることが好ましい。また、チャック部は、ツイストペア線が撚り合う方向によって回転方向を正逆反転可能に設けることが好ましい。また、回転基台とチャック部とは、作業者が把持可能な携帯型の本体、または据え置き型の本体に収納して設けることが好ましい。また、チャック部は、ツイストペア線の先端を差し込むことで自動的に把持するように設けることが好ましい。
【発明の効果】
【００１０】
以上、本発明による撚り戻し装置によれば、回転基台の回転により撚りを戻すとともに張力を加えることによって曲げを同時に取ることができるため、ツイストペア線の撚りと曲げとを数回繰り返して取る必要がなく、一度で確実に実行でき時間の短縮になるとともに、作業者が容易に実行することが可能になる。
【発明を実施するための最良の形態】
【００１１】
次に、添付図面を参照して本発明による撚り戻し装置の実施の形態を詳細に説明する。図１は、本発明による撚り戻し装置の第１の実施形態を示す外観図である。また、図２は、図１に示したチャック部１４の詳細を示す拡大図である。また、図３は、図１に示した撚り戻し装置の動作を示す動作説明図であり、図３（ａ）はツイストペア線１ａを把持した状態を、図３（ｂ）はツイストペア線１ａの撚りを戻した状態を、図３（ｃ）はツイストペア線１ａの曲げを取った状態を各々示している。また、図４は、図３に示したツイストペア線１ａの撚り戻し前後の状態を示す図であり、図４（ａ）は撚り戻し前の状態を、図４（ｂ）は撚り戻し後の状態を各々示している。また、図５は、本発明による撚り戻し装置の第２の実施形態を示す外観図である。また、図６は、本発明による撚り戻し装置の第３の実施形態を示す外観図である。また、図７は、図３に示したチャック部の他の実施例を示す図である。
【実施例１】
【００１２】
図１に示すように、本発明による撚り戻し装置の第１の実施形態は、一対に撚り合うツイストペア線１ａ（以下、ペア線と称す）を複数合わせ持つケーブル１の端部に、端子（コネクタ：図示せず）を接続するため、このケーブル１端部のペア線１ａの被覆部を剥して露出させて撚りを戻す装置であって、作業者が把持可能な携帯型の本体１０を設け、この本体１０内に収納してベアリング１６により所定の回転軸Ａを中心として回転可能に支持した回転基台１２と、この回転基台１２の回転する端部表面に設けてペア線１ａの撚り合う一対の先端を各々把持するチャック部１４とを備えている。この際、ペア線１ａは、ケーブル１の端部で露出する長さを、約３ｃｍ程度の長さに設定（図４（ａ）参照）している。
【００１３】
ここで、回転基台１２は、図１に示した棒状に長く延在する本体１０内から一端側の先端に円形の表面（図３参照）を露出させた状態に配置され、この本体１０内で前述したベアリング１６により回転可能に枢支されている。この際、回転基台１２は、本体１０の外側に手動で回転させるローレット部１２ａを一体に設けて露出させており、このローレット部１２ａを作業者が手動で回すことで、回転基台１２が同時に回転してペア線１ａの撚りを戻す構造になっている。この際、回転基台１２は、ローレット部１２ａの回転方向を正逆反転可能に支持されており、ペア線１ａが撚り合う方向に応じて適宜、回転方向を変えられるように設けている。
【００１４】
また、チャック部１４は、回転基台１２の回転する表面に中心の回転軸Ａから偏心した両側に各々対に設けられ、ペア線１ａの撚り合う一対の先端を各々把持するように形成している。より詳しく説明すると、チャック部１４は、ペア線１ａの先端を挿入して把持する場合、図２に示すように、ドリルチャックなどのチャック式金具のような構造に形成されており、ペア線１ａの先端を差し込むと、この挿入した先端が終端の接点（図示せず）に当接して自動的に把持するように形成されている。即ち、本実施の形態では、チャック部１４にペア線１ａの撚り合う先端を各々把持させた状態で、回転基台１２を作業者が手動で回転させて撚りを戻すものであって、この際、ペア線１ａに張力を加えることで曲げも同時に取る構造に形成されている。
【００１５】
このように形成された本発明による撚り戻し装置の第１実施形態によりペア線１ａの撚りを戻す動作を、図３及び４を参照して詳細に説明する。本発明による撚り戻し装置の第１の実施形態は、図３（ａ）に示すように、まず、ケーブル１の端部に露出する一対に撚り合ったペア線１ａの先端を、チャック部１４に挿入し、このペア線１ａの先端を終端の接点に触れさせることで自動的にチャック部１４に把持させる。そして、チャック部１４に撚り合う一対のペア線１ａ先端を各々把持させた後、ケーブル１を引っ張って一対のペア線１ａに張力を加える。これによりペア線１ａは、図３（ｂ）に示すように、お互い撚り合った状態で引っ張られて、捩れによる曲げを引き延ばした状態にする。その後、ペア線１ａを延ばした状態で、作業者がローレット部１２ａ（図１参照）を手動で回すことにより、回転基台１２が回転してペア線１ａの撚りを戻すことができる。これにより撚り合った一対のペア線１ａは、図３（ｃ）に示すように、回転基台１２の回転により撚りが戻り、それぞれ離間した状態まで戻すことができる。このような動作を繰り返し行うことで複数のペア線１ａは、図４（ａ）に示すように一対に撚り合って複数露出した状態から、図４（ｂ）に示すように撚りが戻り真っすぐに延びて曲げが取られた状態になり、先端に端子を接続することが可能になる。
【００１６】
このように、本発明による撚り戻し装置の第１の実施形態によると、回転基台１２の回転により撚りを戻すとともに、張力を加えることによって捩れた曲げを同時に取ることができるため、ペア線１ａの撚りと曲げとを数回繰り返して取る必要がなく、一括して確実に実行することができ時間の短縮になるとともに、作業者が容易に実行することができる。また、回転基台１２の回転方向及び回転回数を自由に反転できるため、種々のペア線１ａの撚りに対応して用いることができる。
【実施例２】
【００１７】
次に、図５を参照して、本発明による撚り戻し装置の第２の実施形態を詳細に説明する。図５に示すように、本発明による撚り戻し装置の第２の実施形態は、図１に示した回転基台を手動ではなく自動で回転できるようにしたものであって、作業者が把持可能な携帯型の本体２０を設け、この本体２０内に電池２９を備えて回転するモータ２８を有して該モータ２８の回転軸Ｂを中心としてベアリング２６により回転可能に支持した回転基台２２と、この回転基台２２の回転する端部表面に設けられてケーブル１の端部に露出させたペア線１ａの撚り合う一対の先端を各々把持するチャック部２４とを備えている。ここで、本体２０は、モータ２８を収納した近傍の外側にスイッチ２７を露出させて設けており、このスイッチ２７によりモータ２８の正逆回転及び停止の操作が可能であり、ペア線１ａの撚り合う方向によって適宜、回転方向を正逆反転できるように設けている。
【００１８】
このように形成された本発明による撚り戻し装置の第２の実施形態は、ペア線１ａの撚りを戻す場合、スイッチ２７により自動で回転基台２２の回転及び停止を操作する以外、全て図３に示した動作と同じであり、ここでは重複する説明を省略する。
【００１９】
このように、本発明による撚り戻し装置の第２の実施形態によると、第１の実施形態とほぼ同じ動作によってペア線１ａの撚りを戻せるため、第１の実施形態と同様の効果を得ることができるとともに、スイッチ２７の操作で自動に回転基台２２を一定に回転させることができ、作業者が変わっても平均して同じ状態で撚りを戻すことができる。
【実施例３】
【００２０】
次に、図６を参照して、本発明による撚り戻し装置の第３の実施形態を詳細に説明する。図６に示すように、本発明による撚り戻し装置の第３の実施形態は、図１及び５に示した携帯型の本体１０、２０とは異なり、所定の位置に設置する据え置き型の本体に設けたものであって、箱状の本体３０を設け、この本体３０内に所定の回転軸（図示せず）を中心として回転する回転基台３２と、この回転基台３２の回転する表面でケーブル１の端部に露出させたペア線１ａの撚り合う一対の先端を各々把持するチャック部３４とを備えている。
【００２１】
このように形成された本発明による撚り戻し装置の第３の実施形態では、図１又は５に示した撚り戻し装置のように手動または自動により回転基台３２を回転させることで、図３に示した動作とほぼ同じ手順でペア線１ａの撚りを戻すことができる。
【００２２】
従って、本発明による撚り戻し装置の第３の実施形態によると、第１又は第２の実施形態とほぼ同じ動作によってペア線１ａの撚りを戻せるため、この第１又は第２の実施形態と同様の効果を得ることができるとともに、本体３０を据え置き型に設置するため、携帯型に比べて安定して作業することが可能になる。
【００２３】
以上、本発明による撚り戻し装置の実施の形態を詳細に説明したが、本発明は前述した実施の形態に限定されるものではなく、その要旨を逸脱しない範囲で変更可能である。
例えば、本体を１台だけ設けた実施の形態を説明したが、これに限定されるものではなく、複数台備えて作業効率を向上させても良い。
また、チャック部を回転基台に固定して設けた実施例を詳細に説明したが、これに限定されるものではなく、例えば、チャック部を回転基台の回転軸から偏心した両側で各々回転可能に設けて、回転基台が回転してツイストペア線の撚りを戻した後、張力を加えて把持した状態（図３（ｃ）参照）で更に回転して曲げを取るように設けてもよい。これはペア線に種々の線種があり、撚りを戻して張力を加えても捩れによる曲げを取ることができない場合があり、このような場合に、図７に示すようにチャック部４４を回転可能に設けてペア線１ａの曲げを取ることが好ましい。
【図面の簡単な説明】
【００２４】
【図１】本発明による撚り戻し装置の第１の実施形態を示す外観図。（実施例１）
【図２】図１に示したチャック部の詳細を示す拡大図
【図３】図１に示した撚り戻し装置の動作を示す動作説明図。
【図４】図３に示したツイストペア線の撚り戻し前後の状態を示す図。
【図５】本発明による撚り戻し装置の第２の実施形態を示す外観図。（実施例２）
【図６】本発明による撚り戻し装置の第３の実施形態を示す外観図。（実施例３）
【図７】図３に示したチャック部の他の実施例を示す図。
【図８】従来の撚り戻し装置の一実施形態を示す外観図。
【符号の説明】
【００２５】
１    ケーブル
１ａ  ツイストペア線
１０    本体
１２    回転基台
１２ａ  ローレット部
１４    チャック部
１６    ベアリング
【図１】
2006280176.tif 000003
【図２】
2006280176.tif 000004
【図３】
2006280176.tif 000005
【図４】
2006280176.tif 000006
【図５】
2006280176.tif 000007
【図６】
2006280176.tif 000008
【図７】
2006280176.tif 000009
【図８】
2006280176.tif 000010